(57)【要約】      （修正有）【課題】環状凹部に環状凸部を嵌挿できるよう構成し、作業性の向上が図れ、堅牢に嵌着でき、輸送時、陳列時のフック部と商品の離脱が防止できる商品陳列用吊り下げ具を提供する。【解決手段】上部にフック部１ａ、下部に主挟持部１ｂを一体に形成した吊り下げ具本体１と、フック部から派生し、フック部の一部及び主挟持部１ｂとが重合する副挟持部２と、主挟持部の下端部には、中心部に環状凹部３ａを形成した保持用受部３と、副挟持部の下端部にも、中心部に環状凸部を形成した保持用差し込み部４とを設け、主挟持部と副挟持部との間に、台紙を介し、環状凹部と環状凸部を嵌着し、商品の表示や商品を入れた袋を吊り下げて使用する吊り下げ具において、環状凹部の内周の一部に余片３ｂを形成し、環状凸部の上面には、その直径方向に所定の幅を有するスリットを形成する。【選択図】図１
0003205211.tif 000002
【実用新案登録請求の範囲】
【請求項１】
上部にはフック部（１ａ）、下部には主挟持部（１ｂ）を一体に形成した吊り下げ具本体（１）と、
該吊り下げ具本体の前記フック部（１ａ）の中部付近から派生し、前記フック部（１ａ）とは、折り曲げ可能に形成し、折り曲げ後には、前記フック部（１ａ）の一部及び前記主挟持部（１ｂ）とが重合する副挟持部（２）と、
前記主挟持部（１ｂ）の下端部には、中心部に環状凹部（３ａ）を形成した保持用受部（３）と、
前記副挟持部（２）の下端部にも、中心部に環状凸部（４ａ）を形成した保持用差し込み部（４）とを設け、
前記主挟持部（１ｂ）と前記副挟持部（２）との間に、厚紙や紙等の台紙（Ｘ）を介し、前記保持用受部（３）の環状凹部（３ａ）に、前記保持用差し込み部（４）の環状凸部（４ａ）を嵌着し、商品の表示や商品を入れた袋を介し前記台紙（Ｘ）を挟持して使用する吊り下げ具において、
前記環状凹部（３ａ）の内周の一部に、リブ（３ｃ）付き余片（３ｂ）を形成し、
前記環状凸部（４ａ）の上面には、その直径方向に所定の幅を有するスリット（５）を形成し、
前記環状凹部（３ａ）と前記環状凸部（４ａ）とが密嵌着・脱するよう構成した
ことを特徴とする商品陳列用吊り下げ具。
【考案の詳細な説明】
【技術分野】
【０００１】
この考案は、商品陳列用吊り下げ具に関するものである。
【背景技術】
【０００２】
従来、デパート、スーパーマーケット等の量販店等で販売される衣料品等の商品は、商品陳列棚に積み重ねて販売されたり、商品陳列ボードに取り付けて使用される棒状体のバー等に多数吊り下げて販売されている。
【０００３】
この方法で販売することにより顧客の目につきやすく、購買意欲をそそるものであった。そして、このようなバーに係止するフックを設け、商品を吊り下げる発明は存在した。例えば、特許文献１のように。
【０００４】
しかし、この技術は、フック部（１）と一体形成された偏平部（２）には薄肉筒部（３）が設けられ、取付台（Ｂ）上で該薄肉筒部にトップカード（Ｃ）を挿入した後、該薄肉筒部を押圧治具（Ｇ）で押し拡げて固定するよう構成されたものであり、取付台（Ｂ）や押圧治具（Ｇ）によらなければ固定できないものであり、作業性が悪いものである。
【０００５】
また、吊り下げフック体（Ｆ）の下部に設けた挿入体（５）を係合突片（６）とを、予め包装袋（Ｐ）の小孔（ｈ）に挿入する吊り下げ展示用商品は存在している。例えば、特許文献２のように。
【０００６】
しかし、この技術は、吊り下げフック体（Ｆ）の下部に設けた挿入体（５）を係合突片（６）とを、予め、一々包装袋（Ｐ）の小孔（ｈ）に挿入おかなければならず、その作業は極めて煩雑である。
【０００７】
さらには、本体部（１）の中空部（３）に配置された挿入部（４）を設け、包装袋（Ｃ）の小穴（８）に差し込み抜けないよう構成した包装袋の吊り下げ具も存在している。例えば、特許文献３のように。
【０００８】
しかし、この技術も、挿入部（４）を、包装袋（Ｃ）の小穴（８）に差し込まなければならず、その作業は極めて煩雑であった。
【先行技術文献】
【特許文献】
【０００９】
【特許文献１】特開平８−２９４４３３号公報
【特許文献２】特開２００９−１０６３２４号公報
【特許文献３】特開２０１４−１７１５１４号公報
【考案の概要】
【考案が解決しようとする課題】
【００１０】
そこで、この考案の課題は、従来品に比べて環状凹部に環状凸部を容易に嵌挿できるよう構成することにより、作業性の向上が図れ、また、堅牢に嵌着できるよう構成され、輸送時、陳列時のフック部と商品の離脱が防止できる商品陳列用吊り下げ具を開発・提供することにある。
【課題を解決するための手段】
【００１１】
この考案の商品陳列用吊り下げ具は、
上部にはフック部、下部には主挟持部を一体に形成した吊り下げ具本体と、
該吊り下げ具本体の前記フック部の中部付近から派生し、前記フック部とは、折り曲げ可能に形成し、
折り曲げ後には、前記フック部の一部及び前記主挟持部とが重合する副挟持部と、
前記主挟持部の下端部には、中心部に環状凹部を形成した保持用受部と、
前記副挟持部の下端部にも、中心部に環状凸部を形成した保持用差し込み部とを設け、  前記主挟持部と前記副挟持部との間に、厚紙や紙等の台紙を介し、
前記保持用受部の環状凹部に、前記保持用差し込み部の環状凸部を嵌着し、
商品の表示や商品を入れた袋を介し前記台紙を挟持して使用する吊り下げ具において、  前記環状凹部の内周の一部に余片を形成し、
前記環状凸部の上面には、その直径方向に所定の幅を有するスリットを形成し、
前記環状凹部と前記環状凸部とが密嵌着・脱するよう構成した
ことを特徴とする。
【考案の効果】
【００１２】
この考案によると、環状凹部（３ａ）の内周部の一部にリブ（３ｃ）付き余片（３ｂ）を形成することにより、差し込んだ環状凸部（４ａ）が環状凹部（３ａ）より抜け難くするとの効果を有する。
【００１３】
また、さらに環状凸部（４ａ）にスリット（５）を形成することにより、環状凹部（３ａ）に挿入する際、前記スリット（５）で分岐された環状凸部（４ａ）が、軽い力で挿入することができ、また、環状凹部（３ａ）から環状凸部（４ａ）を押し込んだ後は、前記スリット（５）がテーパ状に形成されているため、外側に開き易くなっており前記環状凹部（３ａ）からの抜け難くしている等の効果を奏する。
【図面の簡単な説明】
【００１４】
【図１】この考案の一実施例を示す正面図である。
【図２】この考案の一実施例を示す背面図である。
【図３】この考案の一実施例を示し、図１中Ａ−Ａ断面図である。
【図４】この考案の一実施例を示し、（Ａ）は、図１中Ｃ−Ｃ断面図であり、（Ｂ）は、図１中Ｂ−Ｂ断面図である。
【図５】この考案の一実施例を示し、（Ａ）は、図１中Ｄの一部欠截拡大正面であり、（Ｂ）は、図１中Ｄ部分を横方向から見た平面図であり、（Ｃ）は、図３中Ｅの一部欠截拡大断面図である。
【図６】この考案の使用状態の一例を示す正面図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
次に、この考案の一実施例を図面に基づいて詳述すると、上部にはフック部（１ａ）、下部には主挟持部（１ｂ）を一体に形成した吊り下げ具本体（１）と、該吊り下げ具本体の前記フック部（１ａ）の中部付近から派生し、前記フック部（１ａ）とは、折り曲げ可能に形成し、折り曲げ後には、前記フック部（１ａ）の一部及び前記主挟持部（１ｂ）とが重合する副挟持部（２）と、前記主挟持部（１ｂ）の下端部には、中心部に環状凹部（３ａ）を形成した保持用受部（３）と、前記副挟持部（２）の下端部にも、中心部に環状凸部（４ａ）を形成した保持用差し込み部（４）とを設け、前記主挟持部（１ｂ）と前記副挟持部（２）との間に、厚紙や紙等の台紙（Ｘ）を介し、前記保持用受部（３）の環状凹部（３ａ）に、前記保持用差し込み部（４）の環状凸部（４ａ）を嵌着し、商品の表示や商品を入れた袋を介し前記台紙（Ｘ）を挟持して使用する吊り下げ具において、前記環状凹部（３ａ）の内周の一部にリブ（３ｃ）付き余片（３ｂ）を形成し、前記環状凸部（４ａ）の上面には、その直径方向に所定の幅を有するスリット（５）を形成し、前記環状凹部（３ａ）と前記環状凸部（４ａ）とが密嵌着・脱するよう構成したことを特徴とする商品陳列用吊り下げ具から構成されたものである。
【００１７】
この考案の商品陳列用吊り下げ具は、やや軟質の合成樹脂を素材として一体成型されたものであり、図１中の（７）は、連結板であり、主挟持部（１ｂ）と副挟持部（２）とを折り畳みやすく、他に比べて厚みを薄く形成している。
【００１８】
また、前記主挟持部（１ｂ）の前記保持用受部（３）に形成された突起板（６）は、厚紙や紙等の台紙（Ｘ）を挟持する際に、保持用受部（３）と保持用差し込み部（４）で挟持するものである。しかし、前記台紙が多少薄い素材のものであっても、この突起板（６）を設けることにより上下方向の挟持幅を拡げてよれよれになることなく、保持する効果がある。
【００１９】
次に、この考案の一使用方法を説明すると、商品袋（Ｙ）の上部に設けた台紙（Ｘ）に通穴（図示せず）を設けており、該吊り下げ具本体（１）の保持用受部（３）の環状凹部（３ａ）と前記通穴とを重ね合わせておき、該環状凹部（３ａ）に、副挟持部（２）の保持用差し込み部（４）の環状凸部（４ａ）を挿入するものである。
【００２０】
これを係止部材（Ｚ）に、フック部（１ａ）で係止するものである。尚、係止部材（Ｚ）は、その一例にすぎない。
【産業上の利用可能性】
【００２１】
この考案の商品陳列用吊り下げ具の技術を確立し、実施することにより、産業上利用できるものである。
【符号の説明】
【００２２】
１  吊り下げ具本体
１ａ  フック部
１ｂ  主挟持部
２  副挟持部
３  保持用受部
３ａ  環状凹部
３ｂ  余片
３ｃ  リブ
４  保持用差し込み部
４ａ  環状凸部
５  スリット
６  突起板
７  連結部
Ｘ  台紙
Ｙ  商品袋
Ｚ  係止部材
【図１】
0003205211.tif 000003
【図２】
0003205211.tif 000004
【図３】
0003205211.tif 000005
【図４】
0003205211.tif 000006
【図５】
0003205211.tif 000007
【図６】
0003205211.tif 000008